(57)【要約】【課題】  本発明は、レンズ絞りを駆動するカメラの絞り制御機構に関し、絞りレバーのバウンド動作を低減し、同時に、ラチェットギヤおよび爪部材の耐久性を向上することを目的とする。【解決手段】  絞りレバーの移動を制御する絞り制御レバーと、前記絞り制御レバーの回動により回転されるラチェットギヤと、前記ラチェットギヤに噛合する爪部を備えた爪部材と、回転状態にある前記ラチェットギヤへの前記爪部の噛合時に前記爪部に作用する衝撃を弾性的に吸収する衝撃吸収手段とを有することを特徴とする。【選択図】      図２
2008065075.tif 000002
【特許請求の範囲】
【請求項１】
絞りレバーの移動を制御する絞り制御レバーと、
前記絞り制御レバーの回動により回転されるラチェットギヤと、
前記ラチェットギヤに噛合する爪部を備えた爪部材と、
回転状態にある前記ラチェットギヤへの前記爪部の噛合時に前記爪部に作用する衝撃を弾性的に吸収する衝撃吸収手段と、
を有することを特徴とするカメラの絞り制御機構。
【請求項２】
請求項１記載のカメラの絞り制御機構において、
前記ラチェットギヤの回転を検出する回転検出手段と、
前記回転検出手段からの検出信号に基づいて前記爪部を前記ラチェットギヤに噛合し前記絞り制御レバーの回動位置を規制する位置決め手段と、
を有することを特徴とするカメラの絞り制御機構。
【請求項３】
請求項２記載のカメラの絞り制御機構において、
前記位置決め手段は、
前記爪部材が回動可能に固定されラチェットギヤ側に付勢される押圧部材と、
前記押圧部材を離脱可能に保持する保持手段とを有し、
前記衝撃緩和手段は、前記爪部材の前記爪部を前記ラチェットギヤの回転方向に付勢する付勢手段を有することを特徴とするカメラの絞り制御機構。
【請求項４】
請求項３記載のカメラの絞り制御機構において、
前記爪部が前記ラチェットギヤに噛合している時の前記爪部材の回動中心を、前記ラチェットギヤの回転中心に位置させてなることを特徴とするカメラの絞り制御機構。
【請求項５】
請求項２記載のカメラの絞り制御機構において、
前記位置決め手段は、
前記爪部を前記ラチェットギヤ側に付勢される前記爪部材と、
前記爪部材を離脱可能に保持する保持手段とを有し、
前記衝撃緩和手段は、
前記爪部材および前記保持手段を支持する回動部材と、
前記回動部材を前記爪部材の前記爪部が前記ラチェットギヤの回転方向に付勢されるように付勢する付勢手段とを有することを特徴とするカメラの絞り制御機構。
【請求項６】
請求項５記載のカメラの絞り制御機構において、
前記回動部材の回動中心を、前記ラチェットギヤの回転中心に位置させてなることを特徴とするカメラの絞り制御機構。
【請求項７】
請求項１または請求項２記載のカメラの絞り制御機構において、
前記絞り制御レバーと前記ラチェットギヤとの間に、前記絞り制御レバーの回動を前記ラチェットギヤに伝達する伝達ギヤを有し、
前記衝撃緩和手段を、前記伝達ギヤを入力側ギヤと出力側ギヤとに分割し、前記入力側ギヤと出力側ギヤとの間に弾性部材を配置して構成してなることを特徴とするカメラの絞り制御機構。
【請求項８】
請求項１ないし請求項７のいずれか１項記載のカメラの絞り制御機構を有することを特徴するカメラ。                                                                                
【発明の詳細な説明】
【技術分野】
【０００１】
本発明は、レンズ絞りを駆動するカメラの絞り制御機構に関する。
【背景技術】
【０００２】
カメラに使用される絞り制御機構では、レンズに設けられた絞りの絞りレバーの移動をカメラ側の絞り制御レバーにより制御している。具体的には、絞り制御レバーの駆動量をギヤ列により増速・拡大し、ラチェットギヤの回転数としてフォトインタラプタ等により検出し、検出値が所定の値となったとき、ラチェットギヤに対して制動をかけ絞り制御レバーを停止させることで所望の絞り値を得る。
【特許文献１】特開２００４−２５２０３４号公報
【特許文献２】特開昭６０−１２５３３号公報
【発明の開示】
【発明が解決しようとする課題】
【０００３】
しかしながら、従来の絞り制御機構では、回転状態にあるラチェットギヤに制動をかけるためラチェットギヤに爪部材の爪部を噛合すると、ラチェットギヤの回転が急激に停止し、絞り制御レバーと一体になって走行していたレンズ側の絞りレバーが絞り制御レバーに対してバウンドしてしまい、絞り径が安定化するまでに比較的長い時間が必要になるという問題があった。また、ラチェットギヤの回転を急激に停止しているため、ラチェットギヤおよび爪部材に多大な衝撃が作用し、ラチェットギヤおよび爪部材の耐久性が低下するという問題があった。
【０００４】
本発明は、かかる従来の問題を解決するためになされたもので、絞りレバーのバウンド動作を低減し、同時に、ラチェットギヤおよび爪部材の耐久性を向上することができるカメラの絞り制御機構およびカメラを提供することを目的とする。
【課題を解決するための手段】
【０００５】
第１の発明のカメラの絞り制御機構は、絞りレバーの移動を制御する絞り制御レバーと、前記絞り制御レバーの回動により回転されるラチェットギヤと、前記ラチェットギヤに噛合する爪部を備えた爪部材と、回転状態にある前記ラチェットギヤへの前記爪部の噛合時に前記爪部に作用する衝撃を弾性的に吸収する衝撃吸収手段とを有することを特徴とする。
【０００６】
第２の発明のカメラの絞り制御機構は、第１の発明のカメラの絞り制御機構において、前記ラチェットギヤの回転を検出する回転検出手段と、前記回転検出手段からの検出信号に基づいて前記爪部を前記ラチェットギヤに噛合し前記絞り制御レバーの回動位置を規制する位置決め手段とを有することを特徴とする。
第３の発明のカメラの絞り制御機構は、第２の発明のカメラの絞り制御機構において、前記位置決め手段は、前記爪部材が回動可能に固定されラチェットギヤ側に付勢される押圧部材と、前記押圧部材を離脱可能に保持する保持手段とを有し、前記衝撃緩和手段は、前記爪部材の前記爪部を前記ラチェットギヤの回転方向に付勢する付勢手段を有することを特徴とする。
【０００７】
第４の発明のカメラの絞り制御機構は、第３の発明のカメラの絞り制御機構において、前記爪部が前記ラチェットギヤに噛合している時の前記爪部材の回動中心を、前記ラチェットギヤの回転中心に位置させてなることを特徴とする。
第５の発明のカメラの絞り制御機構は、第２の発明のカメラの絞り制御機構において、前記位置決め手段は、前記爪部を前記ラチェットギヤ側に付勢される前記爪部材と、前記爪部材を離脱可能に保持する保持手段とを有し、前記衝撃緩和手段は、前記爪部材および前記保持手段を支持する回動部材と、前記回動部材を前記爪部材の前記爪部が前記ラチェットギヤの回転方向に付勢されるように付勢する付勢手段とを有することを特徴とする。
【０００８】
第６の発明のカメラの絞り制御機構は、第５の発明のカメラの絞り制御機構において、前記回動部材の回動中心を、前記ラチェットギヤの回転中心に位置させてなることを特徴とする。
第７の発明のカメラの絞り制御機構は、第１または第２の発明のカメラの絞り制御機構において、前記絞り制御レバーと前記ラチェットギヤとの間に、前記絞り制御レバーの回動を前記ラチェットギヤに伝達する伝達ギヤを有し、前記衝撃緩和手段を、前記伝達ギヤを入力側ギヤと出力側ギヤとに分割し、前記入力側ギヤと出力側ギヤとの間に弾性部材を配置して構成してなることを特徴とする。
【０００９】
第８の発明のカメラは、第１ないし第７のいずれか１の発明のカメラの絞り制御機構を有することを特徴する。
【発明の効果】
【００１０】
本発明では、絞りレバーのバウンド動作を低減し、同時に、ラチェットギヤおよび爪部材の耐久性を向上することができる。
【発明を実施するための最良の形態】
【００１１】
以下、本発明の実施形態を図面を用いて詳細に説明する。
(第１の実施形態)
図１は、本発明のカメラの絞り制御機構の第１の実施形態が搭載される一眼レフレックス型のカメラを示している。
カメラボディ１１には、撮影レンズ１３が着脱自在に装着可能とされている。カメラボディ１１には絞り制御レバー１５が配置され、撮影レンズ１３にはレンズ側絞りレバー１７が配置されている。カメラボディ１１に撮影レンズ１３を装着した状態でレリーズ釦１９を押圧すると、レンズ側絞りレバー１７はカメラボディ１１側の絞り制御レバー１５により所定の位置に制御される。そして、撮影レンズ１３内に搭載される絞り１８が所定の絞り値に制御される。
【００１２】
図２は、カメラボディ１１の内部に搭載される絞り制御機構の要部を示している。なお図２は、撮影動作開始前の絞り制御機構の状態を示している。
この絞り制御機構は、レンズ側絞りレバー１７の移動を制御する制御部２１と、制御部２１による制御を開始させるスタート部２３を有している。
制御部２１は、絞り制御レバー１５、増速ギヤ２５、ラチェットギヤ２７、フォトインタラプタ２９を有している。また、絞り停止レバー３１、押圧レバー３３、絞り制御マグネット３５を有している。
【００１３】
絞り制御レバー１５は、ベース部材３７に固定される軸Ｘ１に対して回動可能に支持されている。絞り制御レバー１５の一端はレンズ側絞りレバー１７に当接している。絞り制御レバー１５には、コイルバネ３９により右旋力が与えられている。
絞り制御レバー１５の他端には扇形ギヤ１５ａが形成されている。扇形ギヤ１５ａは、増速ギヤ２５の小ギヤ部２５ａと噛合している。増速ギヤ２５の大ギヤ部２５ｂはラチェットギヤ２７の小ギヤ部２７ａと噛合している。ラチェットギヤ２７には小孔２７ｂが多数設けられ、ラチェットギヤ２７を挟み込むようにフォトインタラプタ２９が設けられている。
【００１４】
絞り停止レバー３１は、図３に示すように、押圧レバー３３に固定される軸Ｘ２に回動可能に支持されている。一端にはラチェットギヤ２７に係合する爪部３１ａが設けられている。この絞り停止レバー３１には、線状バネ４１により左旋力が与えられている。なお、図３の(ａ)は図２の状態を、図３の(ｂ)は図４の状態を、図３の(ｃ)は図５の状態をそれぞれ示している。
【００１５】
押圧レバー３３は、ベース部材３７に固定される軸Ｘ３に対して回動可能に支持されている。この押圧レバー３３には、線状バネ４３により左旋力が与えられている。押圧レバー３３の絞り停止レバー３１と反対側は、絞り制御マグネット３５に吸着されるプランジャ４５により絞り制御マグネット３５側に引き込まれている。
スタート部２３は、絞り保持レバー４７、絞りスタートレバー４９、絞りスタートマグネット５１を有している。
【００１６】
絞り保持レバー４７は、ベース部材３７に固定される軸Ｘ４に回動可能に支持されている。一端には絞り制御レバー１５を係止する係止部４７ａが設けられている。この絞り保持レバー４７には、線状バネ５３により左旋力が与えられている。
絞り保持レバー４７の他端には、絞りスタートレバー４９が配置されている。絞りスタートレバー４９は、ベース部材３７に固定される軸Ｘ５に回動可能に支持されている。この絞りスタートレバー４９には、コイルバネ５５により左旋力が与えられている。絞りスタートレバー４９の絞り保持レバー４７と反対側は、絞りスタートマグネット５１に吸着されるプランジャ５７により絞りスタートマグネット５１側に引き込まれている。
【００１７】
以下、上述した絞り制御機構の動作を説明する。
撮影開始前の状態では、図２に示すように、絞り保持レバー４７により絞り制御レバー１５が係止され、絞り制御レバー１５はコイルバネ３９による右旋力に抗して停止している。このとき、撮影レンズ１３の絞りは開放状態である。
押圧レバー３３は、プランジャ４５が絞り制御マグネット３５により吸着されているので、線状バネ４３による左旋力に抗して停止している。そして、この状態では、絞り停止レバー３１を支持する軸Ｘ２は、図３の(ａ)に示すように、ラチェットギヤ２７の回転中心よりずれた位置に位置している。また、絞り停止レバー３１の爪部３１ａとラチェットギヤ２７との係合が解除されている。
【００１８】
カメラボディ１１のレリーズ釦１９が押圧されてレリーズ信号が入力されると、絞りスタートマグネット５１に電圧が印加され、プランジャ５７を開放する。この結果、コイルバネ５５による左旋力により絞りスタートレバー４９が左旋し、絞り保持レバー４７を右旋し、絞り保持レバー４７による絞り制御レバー１５の係止を解除する。
これにより、絞り制御レバー１５がコイルバネ３９の右旋力により右旋されて、絞り込み動作が開始される。すなわち、絞り制御レバー１５の右旋に追従して、レンズ側絞りレバー１７が移動して、撮影レンズ１３の絞り(不図示)を開放状態から絞り込む。
【００１９】
絞り制御レバー１５の右旋により、扇形ギヤ１５ａに小ギヤ部２５ａで噛合する増速ギヤ２５が左回転する。そして、増速ギヤ２５の大ギヤ部２５ｂに小ギヤ部２７ａで噛合するラチェットギヤ２７が増速されて右回転する。ラチェットギヤ２７の回転数は、ラチェットギヤ２７に設けられた小孔２７ｂがフォトインタラプタ２９を通過することで発生するパルスを不図示の制御回路によって計測して検出する。これにより、絞り制御レバー１５の駆動量、すなわちレンズの絞り値は、フォトインタラプタ２９で発生するパルス数で計測できる。
【００２０】
不図示の制御回路によって計測されたフォトインタラプタ２９で発生するパルス数が、所望の絞り値に相当する計数値になると、不図示の制御回路から絞り制御マグネット３５に電圧が印加され、プランジャ４５を開放する。
この結果、図４に示すように、線状バネ４３による左旋力により押圧レバー３３が左旋する。そして、図３の(ｂ)に示すように、絞り停止レバー３１を支持する軸Ｘ２がラチェットギヤ２７の回転中心に位置し、絞り停止レバー３１の爪部３１ａがラチェットギヤ２７に係合してラチェットギヤ２７の回転を停止させようとする。
【００２１】
しかしながら、絞り停止レバー３１は、線状バネ４１により左旋方向に付勢されているため、絞り停止レバー３１の爪部３１ａにラチェットギヤ２７からの衝撃が作用すると、図５および図３の(ｃ)に示すように、線状バネ４１の弾性力に抗して右旋し、線状バネ４１により衝撃が吸収される。これにより、ラチェットギヤ２７の回転が急激に停止することがなくなり、絞り制御レバー１５と一体になって走行していたレンズ側絞りレバー１７が絞り制御レバー１５に衝突しバウンドすることを有効に防止することができる。そして、比較的短い時間で、絞り径を安定化することができる。また、ラチェットギヤ２７の回転を急激に停止しないため、ラチェットギヤ２７および絞り停止レバー３１に多大な衝撃が作用することがなくなり、ラチェットギヤ２７および絞り停止レバー３１の耐久性を向上することができる。
【００２２】
なお、上述の絞り制御機構の動作とは別に、カメラボディ１１に内蔵された不図示のミラーが撮影光路から待避するミラーアップの動作が実行される。次いで、周知の装置により不図示のシャッタが作動して撮影動作が行われ、引き続き各部のリセット動作が行われる。この実施形態では、図示しないモータとカムを用いた周知の機構により、絞り制御レバー１５、絞りスタートレバー４９を駆動することにより、絞り制御マグネット３５、絞りスタートマグネット５１のリセット動作が行われる。そして、このリセット動作が終了すると、絞り制御機構は、図２に示した撮影動作開始前の状態に復帰する。
【００２３】
上述した絞り制御機構では、絞り制御マグネット３５に保持される押圧レバー３３に絞り停止レバー３１を回動可能に配置し、絞り停止レバー３１を線状バネ４１により付勢するようにしたので、絞り停止レバー３１の爪部３１ａにラチェットギヤ２７からの衝撃が作用すると、線状バネ４１の弾性力により衝撃が吸収される。従って、ラチェットギヤ２７の回転が急激に停止することがなくなり、レンズ側絞りレバー１７が絞り制御レバー１５に衝突してバウンドすることを有効に防止することができる。また、ラチェットギヤ２７の回転を急激に停止しないため、ラチェットギヤ２７および絞り停止レバー３１に多大な衝撃が作用することがなくなり、ラチェットギヤ２７および絞り停止レバー３１の耐久性を向上することができる。
【００２４】
そして、上述した絞り制御機構では、絞り停止レバー３１の回動中心をラチェットギヤ２７の回転中心に位置した状態で、絞り停止レバー３１の爪部３１ａをラチェットギヤ２７に係合するようにしたので、爪部３１ａのラチェットギヤ２７への係合後に、ラチェットギヤ２７が多少回転した場合にも、係合状態を確実に維持することができる。
(第２の実施形態)
図６は本発明のカメラの絞り制御機構の第２の実施形態を示している。
【００２５】
なお、この実施形態において第１の実施形態と同一の要素には、同一の符号を付して詳細な説明を省略する。
この実施形態では、ベース部材３７Ａに固定されるラチェットギヤ２７の軸Ｘ６には、回動部材５９が回動可能に支持されている。回動部材５９には、穴部５９ａが形成されている。穴部５９ａには、ブレーキレバー６１が配置されている。ブレーキレバー６１は、ベース部材３７Ａに固定される軸Ｘ７に回動可能に支持されている。
【００２６】
ラチェットギヤ２７の軸Ｘ６には、図７に示すように、線状バネ６３が巻回されている。そして、線状バネ６３の一端により、回動部材５９に左旋力が与えられている。また、線状バネ６３の他端により、ブレーキレバー６１に左旋力が与えられている。この左旋力により、ブレーキレバー６１のブレーキ部６１ａが穴部５９ａの内周に当接されている。なお、図７の(ａ)は図６の状態を、図７の(ｂ)は図８の状態を、図７の(ｃ)は図９の状態をそれぞれ示している。
【００２７】
回動部材５９には、絞り停止レバー３１Ａおよび絞り制御マグネット３５が配置されている。絞り停止レバー３１Ａは、回動部材５９に固定される軸Ｘ８に回動可能に支持されている。一端にはラチェットギヤ２７に係合する爪部３１ａが設けられている。この絞り停止レバー３１Ａには、線状バネ６５により左旋力が与えられている。絞り停止レバー３１Ａの爪部３１ａと反対側は、絞り制御マグネット３５に吸着されるプランジャ４５により絞り制御マグネット３５側に引き込まれている。
【００２８】
以下、この実施形態の絞り制御機構の動作を説明する。
撮影開始前の状態では、図６に示すように、絞り保持レバー４７により絞り制御レバー１５が係止され、絞り制御レバー１５はコイルバネ３９による右旋力に抗して停止している。このとき、撮影レンズ１３の絞りは開放状態である。
絞り停止レバー３１Ａは、プランジャ４５が絞り制御マグネット３５により吸着されているので、線状バネ６５による左旋力に抗して停止している。そして、この状態では、絞り停止レバー３１Ａの爪部３１ａとラチェットギヤ２７との係合が解除されている。
【００２９】
カメラボディ１１のレリーズ釦１９が押圧されてレリーズ信号が入力されると、絞りスタートマグネット５１に電圧が印加され、プランジャ５７を開放する。この結果、コイルバネ５５による左旋力により絞りスタートレバー４９が左旋し、絞り保持レバー４７を右旋し、絞り保持レバー４７による絞り制御レバー１５の係止を解除する。
これにより、絞り制御レバー１５がコイルバネ３９の右旋力により右旋されて、絞り込み動作が開始される。すなわち、絞り制御レバー１５の右旋に追従して、レンズ側絞りレバー１７が移動して、撮影レンズ１３の絞り(不図示)を開放状態から絞り込む。
【００３０】
絞り制御レバー１５の右旋により、小ギヤ部２５ａで扇形ギヤ１５ａに噛合する増速ギヤ２５が左回転し、小ギヤ部２７ａで増速ギヤ２５の大ギヤ部２５ｂに噛合するラチェットギヤ２７が増速されて右回転する。ラチェットギヤ２７の回転数は、ラチェットギヤ２７に設けられた小孔２７ｂがフォトインタラプタ２９を通過することで発生するパルスを不図示の制御回路によって計測して検出する。これにより、絞り制御レバー１５の駆動量、すなわちレンズの絞り値は、フォトインタラプタ２９で発生するパルス数で計測できる。
【００３１】
不図示の制御回路によって計測されたフォトインタラプタ２９で発生するパルス数が、所望の絞り値に相当する計数値になると、不図示の制御回路から絞り制御マグネット３５に電圧が印加され、プランジャ４５を開放する。
この結果、図８に示すように、線状バネ６５による左旋力により絞り停止レバー３１Ａが左旋し、絞り停止レバー３１Ａの爪部３１ａがラチェットギヤ２７に係合してラチェットギヤ２７の回転を停止させようとする。
【００３２】
しかしながら、絞り停止レバー３１Ａを支持する回動部材５９は、線状バネ６３により左旋方向に付勢されているため、絞り停止レバー３１Ａの爪部３１ａにラチェットギヤ２７からの衝撃が作用すると、図９に示すように、線状バネ６３の弾性力に抗して右旋し、線状バネ６３により衝撃が吸収される。これにより、ラチェットギヤ２７の回転が急激に停止することがなくなり、絞り制御レバー１５と一体になって走行していたレンズ側絞りレバー１７が絞り制御レバー１５に衝突しバウンドすることを有効に防止することができる。そして、比較的短い時間で、絞り径を安定化することができる。また、ラチェットギヤ２７の回転を急激に停止しないため、ラチェットギヤ２７および絞り停止レバー３１Ａに多大な衝撃が作用することがなくなり、ラチェットギヤ２７および絞り停止レバー３１Ａの耐久性を向上することができる。
【００３３】
また、線状バネ６３によりブレーキレバー６１に左旋力が与えられ、この左旋力によりブレーキレバー６１のブレーキ部６１ａが穴部５９ａの内周に当接している。従って、摩擦抵抗により回動部材５９の回動動作にブレーキをかけることが可能になり、回動部材５９が初期位置に戻る時に、レンズ側絞りレバー１７を強く押圧してしまうことを防止することができる。
【００３４】
上述した絞り制御機構では、図示しないモータとカムを用いた周知の機構により、絞り制御レバー１５、絞りスタートレバー４９を駆動することにより、絞り制御マグネット３５、絞りスタートマグネット５１のリセット動作が行われる。そして、このリセット動作が終了すると、絞り制御機構は、図６に示した撮影動作開始前の状態に復帰する。
上述した絞り制御機構では、回動部材５９に絞り停止レバー３１Ａおよび絞り制御マグネット３５を配置し、回動部材５９を線状バネ６３により付勢するようにしたので、絞り停止レバー３１Ａの爪部３１ａにラチェットギヤ２７からの衝撃が作用すると、線状バネ６３の弾性力により衝撃が吸収される。従って、ラチェットギヤ２７の回転が急激に停止することがなくなり、レンズ側絞りレバー１７が絞り制御レバー１５に衝突してバウンドすることを有効に防止することができる。また、ラチェットギヤ２７の回転を急激に停止しないため、ラチェットギヤ２７および絞り停止レバー３１Ａに多大な衝撃が作用することがなくなり、ラチェットギヤ２７および絞り停止レバー３１Ａの耐久性を向上することができる。
【００３５】
そして、上述した絞り制御機構では、回動部材５９の回動中心をラチェットギヤ２７の回転中心に位置させたので、爪部３１ａのラチェットギヤ２７への係合後に、回動部材５９が多少回転した場合にも、係合状態を確実に維持することができる。
(第３の実施形態)
図１０は本発明のカメラの絞り制御機構の第３の実施形態を示している。
【００３６】
なお、この実施形態において第１の実施形態と同一の要素には、同一の符号を付して詳細な説明を省略する。
この実施形態では、絞り停止レバー３１Ｂは、ベース部材３７Ｂに固定される軸Ｘ９に回動可能に支持されている。一端にはラチェットギヤ２７に係合する爪部３１ａが設けられている。この絞り停止レバー３１Ｂには、線状バネ６７により左旋力が与えられている。絞り停止レバー３１Ｂの爪部３１ａと反対側は、絞り制御マグネット３５に吸着されるプランジャ４５により絞り制御マグネット３５側に引き込まれている。絞り制御マグネット３５は、ベース部材３７Ｂに固定されている。
【００３７】
そして、図１１に示すように、増速ギヤ２５Ｂが入力側ギヤ７１と出力側ギヤ７３とに２分割されている。入力側ギヤ７１には、絞り制御レバー１５の扇形ギヤ１５ａが噛合される小ギヤ部７１ａが一体形成されている。また、出力側ギヤ７３には、ラチェットギヤ２７の小ギヤ部２７ａと噛合する大ギヤ部７３ａが形成されている。
入力側ギヤ７１の本体部７１ｂには、中心から所定角度をおいて３箇所の突出部７１ｃが円弧状に一体形成されている。出力側ギヤ７３には、３箇所の突出部７１ｃがそれぞれ間隙を置いて挿入される穴部７３ａ，７３ｂが円弧状に形成されている。１つの穴部７３ａは、他の２つの穴部７３ｂより長い円弧状とされている。この穴部７３ａには、コイルバネ７５が挿入されている。そして、コイルバネ７５の一端は、突出部７１ｃの側面７１ｄに当接され、他端は、穴部７３ａの内面７３ｄに当接されている。
【００３８】
以下、この実施形態の絞り制御機構の動作を説明する。
撮影開始前の状態では、図１０に示すように、絞り保持レバー４７により絞り制御レバー１５が係止され、絞り制御レバー１５はコイルバネ３９による右旋力に抗して停止している。このとき、撮影レンズ１３の絞りは開放状態である。
絞り停止レバー３１Ｂは、プランジャ４５が絞り制御マグネット３５により吸着されているので、線状バネ６７による左旋力に抗して停止している。そして、この状態では、絞り停止レバー３１Ｂの爪部３１ａとラチェットギヤ２７との係合が解除されている。
【００３９】
カメラボディ１１のレリーズ釦１９が押圧されてレリーズ信号が入力されると、絞りスタートマグネット５１に電圧が印加され、プランジャ５７を開放する。この結果、コイルバネ５５による左旋力により絞りスタートレバー４９が左旋し、絞り保持レバー４７を右旋し、絞り保持レバー４７による絞り制御レバー１５の係止を解除する。
これにより、絞り制御レバー１５がコイルバネ３９の右旋力により右旋されて、絞り込み動作が開始される。すなわち、絞り制御レバー１５の右旋に追従して、レンズ側絞りレバー１７が移動して、撮影レンズ１３の絞り(不図示)を開放状態から絞り込む。
【００４０】
絞り制御レバー１５の右旋により、小ギヤ部７１ａで扇形ギヤ１５ａに噛合する入力側ギヤ７１が左回転する。入力側ギヤ７１の左回転により、コイルバネ７５を介して、出力側ギヤ７３が左回転する。そして、小ギヤ部２７ａで出力側ギヤ７３の大ギヤ部７３ａに噛合するラチェットギヤ２７が増速されて右回転する。
ラチェットギヤ２７の回転数は、ラチェットギヤ２７に設けられた小孔２７ｂがフォトインタラプタ２９を通過することで発生するパルスを不図示の制御回路によって計測して検出する。これにより、絞り制御レバー１５の駆動量、すなわちレンズの絞り値は、フォトインタラプタ２９で発生するパルス数で計測できる。
【００４１】
不図示の制御回路によって計測されたフォトインタラプタ２９で発生するパルス数が、所望の絞り値に相当する計数値になると、不図示の制御回路から絞り制御マグネット３５に電圧が印加され、プランジャ４５を開放する。
この結果、図１２に示すように、線状バネ６７による左旋力により絞り停止レバー３１Ｂが左旋し、絞り停止レバー３１Ｂの爪部３１ａがラチェットギヤ２７に係合してラチェットギヤ２７の回転を停止させる。そして、この停止時に、絞り制御レバー１５、および、絞り制御レバー１５の扇形ギヤ１５ａに噛合する入力側ギヤ７１が、慣性力によりさらに回転しようとするが、図１３に示すようにコイルバネ７５の変形により回転力が吸収される。これにより、ラチェットギヤ２７の回転が急激に停止した場合にも、絞り制御レバー１５が急激に停止することがなくなり、絞り制御レバー１５と一体になって走行していたレンズ側絞りレバー１７が絞り制御レバー１５に衝突しバウンドすることを有効に防止することができる。そして、比較的短い時間で、絞り径を安定化することができる。また、ラチェットギヤ２７の回転を急激に停止した場合にも、ラチェットギヤ２７に出力側ギヤ７３からの大きな回転力が作用しないため、ラチェットギヤ２７および絞り停止レバー３１Ｂに多大な衝撃が作用することがなくなり、ラチェットギヤ２７および絞り停止レバー３１Ｂの耐久性を向上することができる。
【００４２】
上述した絞り制御機構では、図示しないモータとカムを用いた周知の機構により、絞り制御レバー１５、絞りスタートレバー４９を駆動することにより、絞り制御マグネット３５、絞りスタートマグネット５１のリセット動作が行われる。そして、このリセット動作が終了すると、絞り制御機構は、図１０に示した撮影動作開始前の状態に復帰する。
上述した絞り制御機構では、増速ギヤ２５Ｂを入力側ギヤ７１と出力側ギヤ７３とに分割し、入力側ギヤ７１と出力側ギヤ７３との間にコイルバネ７５配置したので、絞り停止レバー３１Ｂによりラチェットギヤ２７の回転を停止すると、入力側ギヤ７１および絞り制御レバー１５の回転力がコイルバネ７５の変形により吸収される。従って、ラチェットギヤ２７の回転が急激に停止した場合にも、絞り制御レバー１５が急激に停止することがなくなり、絞り制御レバー１５と一体になって走行していたレンズ側絞りレバー１７が絞り制御レバー１５に衝突しバウンドすることを有効に防止することができる。また、ラチェットギヤ２７の回転を急激に停止した場合にも、ラチェットギヤ２７に出力側ギヤ７３からの大きな回転力が作用しないため、ラチェットギヤ２７および絞り停止レバー３１Ｂに多大な衝撃が作用することがなくなり、ラチェットギヤ２７および絞り停止レバー３１Ｂの耐久性を向上することができる。
(実施形態の補足事項)
以上、本発明を上述した実施形態によって説明してきたが、本発明の技術的範囲は上述した実施形態に限定されるものではなく、例えば、以下のような形態でも良い。
【００４３】
(１)上述した実施形態では、一眼レフレックス型のカメラに本発明を適用した例について説明したが、絞りレバー１７の移動を絞り制御レバー１５により制御する形態のカメラに広く適用することができる。
(２)上述した第１の実施形態では、絞り停止レバー３１を線状バネ４１により付勢した例について説明したが、コイルバネ等の種々の弾性部材を用いることができる。
【００４４】
(３)上述した第２の実施形態では、回動部材５９を線状バネ６３により付勢した例について説明したが、コイルバネ等の種々の弾性部材を用いることができる。
(４)上述した第３の実施形態では、入力側ギヤ７１と出力側ギヤ７３との間にコイルバネ７５を配置した例について説明したが、線状バネ、ゴム等の種々の弾性部材を用いることができる。
【図面の簡単な説明】
【００４５】
【図１】本発明のカメラの絞り制御機構を搭載した一眼レフレックス型のカメラを示す説明図である。
【図２】本発明のカメラの絞り制御機構の第１の実施形態の要部を示す説明図である。
【図３】図２の絞り停止レバーおよび押圧レバーを示す説明図である。
【図４】図２の絞り制御機構においてラチェットギヤに爪部が係合した状態を示す説明図である。
【図５】図２の絞り制御機構においてラチェットギヤに爪部が係合した後の状態を示す説明図である。
【図６】本発明のカメラの絞り制御機構の第２の実施形態の要部を示す説明図である。
【図７】図６の回動部材および絞り停止レバーを示す説明図である。
【図８】図６の絞り制御機構においてラチェットギヤに爪部が係合した状態を示す説明図である。
【図９】図６の絞り制御機構においてラチェットギヤに爪部が係合した後の状態を示す説明図である。
【図１０】本発明のカメラの絞り制御機構の第３の実施形態の要部を示す説明図である。
【図１１】図１０の増速ギヤの詳細を示す説明図である。
【図１２】図１０の絞り制御機構においてラチェットギヤに爪部が係合した状態を示す説明図である。
【図１３】図１０の絞り制御機構においてラチェットギヤに爪部が係合した後の状態を示す説明図である。
【符号の説明】
【００４６】
１５…絞り制御レバー、１７…レンズ側絞りレバー、２５，２５Ｂ…増速ギヤ、２７…ラチェットギヤ、２９…フォトインタラプタ、３１，３１Ａ，３１Ｂ…絞り停止レバー、３１ａ…爪部、３３…押圧レバー、３５…絞り制御マグネット、７１…入力側ギヤ、７３…出力側ギヤ、７５…コイルバネ。
【図１】
2008065075.tif 000003
【図２】
2008065075.tif 000004
【図３】
2008065075.tif 000005
【図４】
2008065075.tif 000006
【図５】
2008065075.tif 000007
【図６】
2008065075.tif 000008
【図７】
2008065075.tif 000009
【図８】
2008065075.tif 000010
【図９】
2008065075.tif 000011
【図１０】
2008065075.tif 000012
【図１１】
2008065075.tif 000013
【図１２】
2008065075.tif 000014
【図１３】
2008065075.tif 000015